(57)【要約】【課題】  無線ＬＡＮのアクセスポイントにおけるフィルタ設定を更新するにはオペレータ操作が必要であった。【解決手段】  無線ＬＡＮ端末（13）の接続可否をフィルタ情報（201）に基づき制御する無線中継装置（12）と接続されたサーバ装置（11）が、全ての無線ＬＡＮ端末に対し接続許可を与えるよう無線中継装置へ指示し、この指示の後に無線ＬＡＮ端末へ該端末のＭＡＣアドレスを要求する。サーバ装置からの要求を受信した無線ＬＡＮ端末は、要求に対し自端末のＭＡＣアドレスを前記無線中継装置へ送信する。サーバ装置は、無線ＬＡＮ端末から受信したＭＡＣアドレスを用いてフィルタ情報を編成し、このフィルタ情報を無線中継装置へ送信する。無線中継装置は、サーバ装置から受信したフィルタ情報を設定し、このフィルタ情報により無線ＬＡＮ端末の接続可否を制御する。【選択図】      図１
2007019947.tif 000002
【特許請求の範囲】
【請求項１】
固定のＩＰアドレスを割り当てられた無線ＬＡＮ端末と、該無線ＬＡＮ端末の接続可否をフィルタ情報に基づき制御する無線中継装置と、該無線中継装置と通信可能に接続され且つ前記無線ＬＡＮ端末のＩＰアドレスを記憶するサーバ装置とを備え、
前記サーバ装置は、前記無線中継装置のフィルタ情報を無効化する手段と、フィルタ情報の無効化後に前記記憶するＩＰアドレスを宛先として当該無線ＬＡＮ端末に対し該端末のＭＡＣアドレスを要求する手段と、前記要求により取得したＭＡＣアドレスからフィルタ情報を編成し該フィルタ情報を前記無線中継装置に設定する手段とを有し、
前記無線ＬＡＮ端末は、前記サーバ装置からのＭＡＣアドレスの要求に対し自端末のＭＡＣアドレスを送信する手段を有することを特徴とする通信システム。
【請求項２】
前記サーバ装置および無線ＬＡＮ端末は、前記ＭＡＣアドレスの授受を排他的な通信プロトコルにより実行することを特徴とする請求項１記載の通信システム。
【請求項３】
固定のＩＰアドレスを割り当てられた無線ＬＡＮ端末の接続可否をフィルタ情報に基づき制御する無線中継装置と通信可能に接続され且つ前記無線ＬＡＮ端末のＩＰアドレスを記憶するサーバ装置であって、
前記無線中継装置のフィルタ情報を無効化する手段と、フィルタ情報の無効化後に前記記憶するＩＰアドレスを宛先として当該無線ＬＡＮ端末に対し該端末のＭＡＣアドレスを要求する手段と、前記要求により取得したＭＡＣアドレスからフィルタ情報を編成し該フィルタ情報を前記無線中継装置に設定する手段とを備えることを特徴とするサーバ装置。
【請求項４】
無線ＬＡＮ端末とのＭＡＣアドレスの授受を排他的な通信プロトコルにより実行することを特徴とする請求項３記載のサーバ装置。
【請求項５】
コンピュータを、請求項３又は４記載のサーバ装置として機能させることを特徴とするプログラム。
【請求項６】
無線中継装置と通信可能に接続され且つ前記無線ＬＡＮ端末のＩＰアドレスを記憶するサーバ装置からのＭＡＣアドレスの要求に対し自端末のＭＡＣアドレスを送信する手段を有することを特徴とする無線ＬＡＮ端末。
【請求項７】
前記無線中継装置とのＭＡＣアドレスの授受を排他的な通信プロトコルにより実行することを特徴とする請求項６記載の無線ＬＡＮ端末。
【請求項８】
コンピュータを、請求項６又は７記載の無線ＬＡＮ端末として機能させることを特徴とするプログラム。
【請求項９】
固定のＩＰアドレスを割り当てられた無線ＬＡＮ端末の接続可否をフィルタ情報に基づき制御する無線中継装置と通信可能に接続され且つ前記無線ＬＡＮ端末のＩＰアドレスを記憶するサーバ装置が、前記無線中継装置のフィルタ情報を無効化するステップと、
前記サーバ装置が、フィルタ情報の無効化後に前記記憶するＩＰアドレスを宛先として当該無線ＬＡＮ端末に対し該端末のＭＡＣアドレスを要求するステップと、
前記要求を受信した無線ＬＡＮ端末が、該要求に対し自端末のＭＡＣアドレスを前記無線中継装置へ送信するステップと、
前記サーバ装置が、前記要求により取得したＭＡＣアドレスからフィルタ情報を編成し該フィルタ情報を前記無線中継装置に設定するステップとを備えることを特徴とするフィルタ設定方法。
【請求項１０】
前記サーバ装置および無線ＬＡＮ端末が、ＭＡＣアドレスを授受する各ステップを排他的な通信プロトコルにより実行することを特徴とする請求項９記載のフィルタ設定方法。
【発明の詳細な説明】
【技術分野】
【０００１】
本発明は、無線ＬＡＮ端末のための通信システムに関し、特に、無線中継装置が有するフィルタ機能に用いるＭＡＣアドレスを設定する技術に関する。
【背景技術】
【０００２】
図３に、無線ＬＡＮ端末のための通信システムの基本構成を示す。図示のシステムは、無線ＬＡＮ端末３と、ＷＡＰ（Wireless Access Point：無線アクセスポイント）２と、ＷＡＰ２にEthernet（登録商標）により有線ＬＡＮ接続されたサーバ装置１とを有する。ＷＡＰ２は、いわゆるＭＡＣフィルタと称されるフィルタ機能により、接続許可を与えた無線ＬＡＮ端末３をＭＡＣアドレスを用いて識別する。
【０００３】
無線ＬＡＮ端末の接続制御に関する従来の技術として、例えば、後述の特許文献１に記載のものがある。特許文献１に記載の手法は、無線ＬＡＮシステムのアクセスポイント装置が、接続要求をしたクライアントコンピュータのＭＡＣアドレスをメモリに登録して無線接続を可能にするとともに、登録数に制限を与えることにより無線通信の通信性能を制御するというものである。
【特許文献１】特開２００３−１２４９３９号公報
【発明の開示】
【発明が解決しようとする課題】
【０００４】
しかしながら、上記のアクセスポイント装置が参照する登録数の上限値のような、フィルタ機能の設定情報は、サーバ装置１からＷＡＰ２に対しオペレータ操作により登録する必要がある。このようなオペレータ操作による登録では、設定情報が正しく入力されないおそれがあり、仮に入力ミスがあった場合は、正当なユーザの無線ＬＡＮ端末３であっても接続できないという事態が起こる。さらに、接続不可となった原因の調査、及び、ＭＡＣアドレスの再登録などに時間と労力が費やされるという不都合が生じる。
【０００５】
また、ＷＡＰ２にＭＡＣアドレスが登録された無線ＬＡＮ端末３を持つユーザが、メンテナンス等により無線ＬＡＮ端末３を他のものに交換した場合、交換後の無線ＬＡＮ端末３は、そのＭＡＣアドレスが交換前のものとは異なる。よって、この場合も、サーバ装置１のオペレータの操作により、ＷＡＰ２に登録されているアドレスリストの更新作業を必要とされる。
【０００６】
本発明は、上記課題に鑑みてなされたものであり、ＷＡＰに設定されているフィルタ情報の更新を自動化する手法を提供することを目的とする。
【課題を解決するための手段】
【０００７】
本発明に係る通信システムは、固定のＩＰアドレスを割り当てられた無線ＬＡＮ端末と、該無線ＬＡＮ端末の接続可否をフィルタ情報に基づき制御する無線中継装置と、該無線中継装置と通信可能に接続され且つ前記無線ＬＡＮ端末のＩＰアドレスを記憶するサーバ装置とを備え、前記サーバ装置は、前記無線中継装置のフィルタ情報を無効化する手段と、フィルタ情報の無効化後に前記記憶するＩＰアドレスを宛先として当該無線ＬＡＮ端末に対し該端末のＭＡＣアドレスを要求する手段と、前記要求により取得したＭＡＣアドレスからフィルタ情報を編成し該フィルタ情報を前記無線中継装置に設定する手段とを有し、前記無線ＬＡＮ端末は、前記サーバ装置からのＭＡＣアドレスの要求に対し自端末のＭＡＣアドレスを送信する手段を有する。
【０００８】
本発明に係るフィルタ設定方法は、固定のＩＰアドレスを割り当てられた無線ＬＡＮ端末の接続可否をフィルタ情報に基づき制御する無線中継装置と通信可能に接続され且つ前記無線ＬＡＮ端末のＩＰアドレスを記憶するサーバ装置が、前記無線中継装置のフィルタ情報を無効化するステップと、前記サーバ装置が、フィルタ情報の無効化後に前記記憶するＩＰアドレスを宛先として当該無線ＬＡＮ端末に対し該端末のＭＡＣアドレスを要求するステップと、前記要求を受信した無線ＬＡＮ端末が、該要求に対し自端末のＭＡＣアドレスを前記無線中継装置へ送信するステップと、前記サーバ装置が、前記要求により取得したＭＡＣアドレスからフィルタ情報を編成し該フィルタ情報を前記無線中継装置に設定するステップとを備える。
【発明の効果】
【０００９】
本発明によれば、無線中継装置のフィルタ情報を更新するにあたり、その処理が自動化されることから、オペレータ操作による入力作業は不要となる。これにより、システムへの無線ＬＡＮ端末の追加や交換の際に、フィルタ情報を適正かつ速やかに更新することができる。
【発明を実施するための最良の形態】
【００１０】
以下、本発明の実施形態について図面を用いて詳細に説明する。図１に示すように、本実施形態のシステムは、無線ＬＡＮ端末３０と、無線ＬＡＮ端末３０に無線ＬＡＮ環境を提供する無線中継装置であるＷＡＰ（Wireless Access Point）１２と、ＷＡＰ２０を制御するためのサーバ装置１０とを備える。サーバ装置１０及びＷＡＰ２０間は、Ethernet（登録商標）により有線ＬＡＮ接続されている。無線ＬＡＮ端末３０には、予め固定的なＩＰアドレスが割り当てられている。
【００１１】
ＷＡＰ２０には、無線ＬＡＮ端末３０の接続可否を制御するためのフィルタプログラム２１が組み込まれている。フィルタプログラム２１は、当分野にて従来知られたＭＡＣフィルタと同様な機能を果たすプログラムである。ＷＡＰ２０は、このフィルタプログラム２１を実行することにより、無線ＬＡＮ端末３０をそのＭＡＣアドレスにより識別すると共に、アドレスリスト２２にＭＡＣアドレスが存在する無線ＬＡＮ端末３０に対し接続許可を与えるよう動作する。なお、アドレスリスト２２は、本発明におけるフィルタ情報に相当するものである。
【００１２】
サーバ装置１０には、ＷＡＰ２０のアドレスリスト２２を管理するための自動設定プログラム１１が組み込まれている。自動設定プログラム１１は、ＷＡＰ２０にアドレスリスト２２の無効化を指示するリスト削除手段１２と、リスト削除を指示した後に無線ＬＡＮ端末３０に対しＭＡＣアドレスを要求するアドレス要求手段１３と、無線ＬＡＮ端末３０から取得したＭＡＣアドレスを用いてアドレスリスト２２を編成しこれをＷＡＰ２０へ送信するリスト更新手段１４とを有する。
【００１３】
サーバ装置１０は、その記憶媒体（図示略）に予め無線ＬＡＮ端末３０のＩＰアドレスを記憶している。無線ＬＡＮ端末３０のＩＰアドレスは、前述したように、端末の起動ごとに自動割り当てされるものではなく、固定のものである。サーバ装置１０が記憶するＩＰアドレスとしては、例えば本システムが受注管理システムであれば、受注端末となる全ての無線ＬＡＮ端末３０のものを対象とすることが望ましい。自動設定プログラム１１のアドレス要求手段１３は、記憶しているＩＰアドレスに宛ててＭＡＣアドレスの要求を送信する。
【００１４】
無線ＬＡＮ端末３０にはアドレス送信プログラム３１が組み込まれている。無線ＬＡＮ端末３０は、アドレス送信プログラム３１を実行することにより、サーバ装置１０からのＭＡＣアドレスの要求に対し、自端末のＭＡＣアドレスをサーバ装置１０へ通知するよう動作する。
【００１５】
本実施形態のサーバ装置１０及び無線ＬＡＮ端末３０は、排他的な通信プロトコル、すなわち本システムのサーバ装置１０及び無線ＬＡＮ端末３０のみが処理可能な独自の通信プロトコルにより、ＭＡＣアドレスの授受を実行する。このプロトコルとしては、OSI参照モデルの第６層及び第７層への適用を想定した独自のコマンド制御プロトコルを用いる。
【００１６】
図２に示すシーケンス図を参照して、本実施形態の動作手順を説明する。まず、サーバ装置１０にて自動設定プログラム１１を起動させる。これは、例えば、本システムが店舗の受注管理や商品管理のシステムである場合、店舗の開店時あるいは無線ＬＡＮ端末３０の交換時など、ＷＡＰ２０のアドレスリスト２２を更新する際に行う。また、サーバ装置１０へのタイマ設定により、所定期間ごとに定期的に起動させるようにしてもよい。
【００１７】
サーバ装置１０の自動設定プログラム１１が起動すると、そのリスト削除手段１２がＷＡＰ２０のアドレスリスト２２を無効化する（ステップＳ１）。ＷＡＰ２０に対するこの制御は、例えば、従来知られたTelnetを利用して実施することができる。アドレスリスト２２の無効化により、それまでアドレスリスト２２に登録されていたＭＡＣアドレスは全て削除される（ステップＳ２）。
【００１８】
アドレスリスト２２の無効化により、ＷＡＰ２０に対するアクセス制限が一旦解除されることから、新たにアドレスリスト２２へ登録しようとする無線ＬＡＮ端末３０のアクセスも許可されることとなる。
【００１９】
次に、自動設定プログラム１１のアドレス要求手段１３が、予め記憶している無線ＬＡＮ端末３０のＩＰアドレスを用いて、無線ＬＡＮ端末３０に対しＭＡＣアドレスを要求する（ステップＳ３）。要求を受信した無線ＬＡＮ端末３０は、そのアドレス送信プログラム３１により自端末のＭＡＣアドレスを読み出し、これをサーバ装置１０に宛てて送信する（ステップＳ４）。
【００２０】
サーバ装置１０が発信するＭＡＣアドレスの要求は、サーバ装置１０が予め記憶している固定ＩＰアドレスを宛先とする、すなわち管理対象となる無線ＬＡＮ端末３０を宛先とすることから、管理対象外の端末に発信されることはない。よって、必要とするＭＡＣアドレスを効率よく取得することができる。
【００２１】
なお、ＭＡＣアドレスの授受の際、ＷＡＰ２０に対するアクセス制限が一旦解除されるが、この間の通信は、前述したように、サーバ装置１０及び無線ＬＡＮ端末３０間で独自の通信プロトコルを用いることから、たとえ無線ＬＡＮ端末３０のＩＰアドレスを不正に利用しようとする端末が存在しても、それを排除することができる。よって、アドレスリスト２２を無効化してもセキュリティは確保される。
【００２２】
サーバ装置１０が無線ＬＡＮ端末３０からＭＡＣアドレスを取得すると、リスト更新手段１４が、取得した全てのＭＡＣアドレスにより新たなアドレスリスト２２を編成する（ステップＳ５）。このとき、メンテナンス等によりシステムから除外された無線ＬＡＮ端末３０はサーバ装置１０に対し応答しないことから、そのＭＡＣアドレスは、新たなアドレスリスト２２には列挙されない。
【００２３】
最後に、リスト更新手段１４が、新たなアドレスリスト２２をＷＡＰ２０へ送信し、このアドレスリスト２２によりフィルタ機能を再開させるようTelnetにより制御する（ステップＳ６、Ｓ７）。
【００２４】
以上説明した実施形態によれば、ＷＡＰ２０のアドレスリスト２２を更新するにあたり、その処理がサーバ装置１０の自動設定プログラム１１により自動化されることから、オペレータ操作による入力作業は不要となる。これにより、無線ＬＡＮ端末３０の交換あるいは追加等によるアドレスリスト２２の更新を適正かつ迅速に行うことができる。また、更新により、システムから除外した無線ＬＡＮ端末３０について、そのＭＡＣアドレスがアドレスリスト２２から自動的に排除されることから、不要なＭＡＣアドレスを保持することによるアドレスリスト２２の肥大化を防止できる。
【００２５】
上記実施形態では、ＭＡＣアドレスの授受の際の通信プロトコルとして、サーバ装置１０及び無線ＬＡＮ端末３０間で独自の通信プロトコルを利用したが、これは必須ではなく、本システムの用途に応じて汎用のものに適宜変更してもよい。例えば、小規模の店舗や閉鎖的な現場のように、無線ＬＡＮに対する不正アクセスの可能性が極めて低いとされる用途では、独自の通信プロトコルでなく汎用のものを利用することができる。
【産業上の利用可能性】
【００２６】
本発明は、例えば、小売店や飲食店等で利用されるＰＯＳシステム、あるいは、受注端末、キッチンプリンタ及び受注コントローラ等で構成される受注管理システム、もしくは、店舗サーバ及び在庫管理端末から構成される販売システム等、無線ＬＡＮを利用可能な種々の用途に好適である。
【図面の簡単な説明】
【００２７】
【図１】本発明の実施形態の構成を示すブロック図である。
【図２】実施形態の動作手順を示すシーケンス図である。
【図３】従来のシステムを説明するための説明図である。
【符号の説明】
【００２８】
１０  サーバ装置
１１  自動設定プログラム
１２  リスト削除手段
１３  アドレス要求手段
１４  リスト更新手段
２０  ＷＡＰ
２１  フィルタプログラム
２２  アドレスリスト
３０  無線ＬＡＮ端末
３１  アドレス送信プログラム
【図１】
2007019947.tif 000003
【図２】
2007019947.tif 000004
【図３】
2007019947.tif 000005